(57)【要約】【課題】従来の物品収容袋は小量の物を入れる目的であり、多量に収容することに無理があり、一般の使用者や業務用としての多量の内容物の袋としては扱いずらくチャック機能を開閉するだけでの機能である。【解決手段】開口部を複数もち、物品を少量ずつ取り出すか、一度に多量に取り出すかを選択でき、少量を取り出す場合は開口部を任意で選択でき、尚且つチャックを用いて開閉でき、多量に取り出す場合でも簡単にそのための広口の開口を形成できる物品収容袋と開口部にチャックを装着しない物品収容袋では開口部の下部を折り曲げたり、クリップ、ピンチなどで挟み、また輪ゴム、紐などで締めてチャック機能と同等の手段を講ずる。【選択図】図１
2010023921.tif 000002
【特許請求の範囲】
【請求項１】
柔軟なシートで袋状に構成された、液状、半流動体状および固形状、粉状の物品を収容するための物品収容袋本体と、このバッグ本体の右側または左側およに真中に設けられ、複数の開口を有し、内部の物品を少なくとも一部を取り出すための口部と内部の物品を大量に取り出すために、切り取りを案内補助する案内補助手段とを備えた物品収容袋。
【請求項２】
案内補助手段が物品収容袋本体の少なくとも一方側辺に形成され、１箇所または複数に切り込み、および物品収容袋本体の対面するシートの両表面に横切って形成されたミシン目からなる請求項１に記載の物品収容袋。
【請求項３】
形成された開口を密封するための密封手段をさらに備えた請求項１または２に記載の物品収容袋。
【請求項４】
密封手段が、袋本体の対面するシートの一方内面に横切って形成され凸条部と、対面するシートの他方内面に前記凸条部に対向して形成され、前記凸条部に解除可能に密封結合可能な凹溝部とからなるチャックである請求項３に記載の物品収容袋、また、この物品収容袋は開口が開放されていてもよいし、開口部を輪ゴムで閉じるか、クリップ、ピンチなどで挟み密閉してもよい構造とする。
【請求項５】
密封手段が、収容袋本体を、この本体に形成される開口の上位で、外部から挟むことにより前記開口を密封可能なクリップである請求項３に記載の物品収容袋。
【請求項６】
また物品を密封収容する収容袋において、熱接着性合成樹脂フィルムを用いて袋本体を形成し、その袋本体から少量を取り出すときは開口部の一部にチャック部を設け、チャック部に接近した上部を並列に鋏などで開口する箇所を構え、大量に取り出すときは、上部の切り口の適宣位置で、部分開口および全面開口することを特徴とする開口が容易にできる包装袋。
【請求項７】
前記袋本体の開口縁となるミシン目において、適宜位置で任意数のミシン目を設け開口時にミシン目が引裂によって成る開口縁の迂曲部が任意数の対称する突片となる請求項１記載の開口が容易にできる包装袋。
【請求項８】
前記袋本体の開口を容易にするためとなるミシン目を適宜位置で任意数の縦状縦状または斜め状、横状となるミシン目を設け、開口時にミシン目が引裂によって成る開口部と本体部が部分的に分離ができ、開口から物品を出しやすくなる請求項１記載の開口が容易にできる包装袋。
【請求項９】
開閉自在なチャックテープが１箇所および複数箇所に取り付けられた透明な積層積層フィルム製の袋であって、該積層フィルムが、少なくとも透明な基材フィルムとその内側の面に積層されたシーラント層とで形成され、更に該シーラント層が、少なくともポリプロピレン共重合体層と、その内側の面に積層された低密度ポリエチレン層または直鎖状低密度ポリエチレン層を最内層とする積層体で形成されると共に該チャックテープが低密度ポリエチレンまたは直鎖状低密度ポリエチレンで形成されていることを特徴とするチャックテープ付き袋。
【請求項１０】
前記シーラント層の最内層とチャックテープが、両者とも直鎖状低密度ポリエチレンで形成されていることを特徴とする請求項１記載のチャックテープ付き袋。
【請求項１１】
前記シーラント層の積層体が、多層共押し出し成形法で形成されていることを特徴とする請求項１または２に記載のチャックテープ付き袋。
【請求項１２】
前記基材フィルム材にこだわらずフィルムであることを特徴とする請求項９乃至１１のいずれかに記載のチャックテープ付き袋。
【請求項１３】
前記袋の１箇所および複数箇所に取り付けられたチャックテープの外側の端縁部がヒートシール部により封止され、該ヒートシール部とチャックテープとの間に袋の開封手段が設けられていることを特徴とする請求項９乃至１２のいずれかに記載のチャックテープ付き袋。
【請求項１４】
前記収容袋の１箇所および複数箇所の開口部はチャックテープを用いない方法として、折り曲げたり、クリップ、ピンチなどを用いて開口部を挟み、また輪ゴム、紐などを用いて簡単にその開口を開閉することを形成できる物品収容袋を提供すること。
【請求項１５】
前記収容袋を逆さまに吊るして使用した場合、袋本体のチャックにより内容量の落下量の調整が可能になり、必要量を自動的に落下させることが可能な物品収容袋を提供すること。
【発明の詳細な説明】
【技術分野】
【０００１】本発明は、物品収容袋の利便性を図った包材に関する。
【背景技術】
【０００２】柔軟なシートで袋状に構成された、液状、半流動体状および固形状の物品を収容するための物品収容袋本体と、この物品収容袋本体の右側または左側およに真中に設けられ、複数の開口を有し、内部の物品を少なくとも一部を取り出すための口部と内部の物品を大量に取り出すために、切り取りを案内補助する案内補助手段とを備えた物品収容袋。【０００３】以下、従来の物品収容袋について説明する。物品を入れる時に一部または全部を開放してチャックをするだけでの機能である。【０００４】内容物が小さい物の場合は前記記載のチャック機能で補えるが、内容物が小さくても大量に収容されている場合には前記記載の物品収容袋では機能しない。
【発明の開示】
【発明が解決しようとする課題】
【０００５】以上に述べた従来の物品収容袋では、内容物が小さい物に限定され機能的にも単なる保存袋でしかなく内容物が大量のときは全部を開口しなければならない不便であった。【０００６】本発明は、このような従来の構成が有していた問題を解決しようとするものであり、内容物を効果的に、簡単に何度でも少量で取り出せ、また大量に取り出すことを実現することを目的とするものである。
【問題を解決するための手段】
【０００７】そして、本発明は上記目的を達成するために開口部を複数配置し、物品を出すための開口を選択でき、切り口とミシン目とを供えた物品収容袋本体と前記、チャック部を設けたものである。
【０００８】また、チャック部を設けたことにより、必要最小量を任意で調節できる構成としたものである。
【発明の効果】
【０００９】上述したように本発明の物品収容袋は、袋本体が密閉状態であれ、開封された状態であれ、チャック部または、開口部を折り曲げ、クリップおよび輪ゴム、紐などで機密性を保つ物品収容袋を提供できる。
【発明を実施するための最良の形態】
【００１０】以下、添付図面を参照しながら、本発明の実施の形態を詳細に説明する。【００１１】図においては、１はミシン目を引裂く方法および、はさみなどを用いて開口を簡単にするための誘導できる機能。【００１２】２は、チャックシートを用いて物品を少量ずつ何度でも取り出す目的を有する方法とチャックを用いないで開放部とし、折り曲げてチャックと同等の機能を形成するために構えた物品収容袋。【００１３】３は、ミシン目の誘導を目的とする切り込みであり、３乃１〜３は開口を目的とする切り込み。【００１４】６は、持ち運びに便利な手提げ用切り込み。【００１５】９は、ヒートシールを用いたときに、密封された箇所、図１３ができ、手提げ用に切り込み用の加工をすることにより簡単に持てるようになることを目的とする。
９にヒートシールを用いない場合は前記記載の容積より容積が増し内容物の内容量が増える。
【図面の簡単な説明】
【００１６】
【図１】本発明の実施形態を示す物品収容袋の図面
【符号の説明】
【００１７】１、ミシン目
２、チャックテープ部
３、ミシン目のガイド
４、ヒートシール部
５、開口口
６、手提げ用切り込み
７、天ヒートシール部
８、包装体
９、中間ヒートシール部
１０、全体の開口部
１１、内容物
１２、開口補助ヒートシール部
１３、吊り下げ用の穴部
【図１】
2010023921.tif 000003